(57)【要約】【課題】簡素化した構成で、カバー部材の取付け操作性が良好であるとともに、カバー部材の落下を確実に防止できる信頼性の高い照明装置を提供することを目的とする。【解決手段】本発明は、透光性を有するカバー部材７と、カバー部材７が取付けられる被取付部５と、被取付部５に形成され、カバー部材７を被取付部５に対して取付方向に移動操作したとき、回り止め片７３が弾性変形して乗り上げ、その後、周方向の回動操作によって回り止め片７３が係合する係合突起５６と、被取付部５に形成され、カバー部材７を被取付部５に対して取付方向に移動操作し、その後、周方向の回動操作によって落下防止片７４が係合する支持部５７ａとを備える照明装置１である。【選択図】図１０
2011171190.tif 000002
【特許請求の範囲】
【請求項１】
光源を有する装置本体と；
前記光源を覆うとともに、円形状の本体部と、この本体部の外周縁に沿い本体部と直交する方向に延出した落下防止片及び回り止め片とを備えた透光性を有するカバー部材と；
装置本体に設けられ、前記カバー部材が取付けられる被取付部と；
被取付部に形成され、カバー部材を被取付部に対して取付方向に移動操作したとき、前記回り止め片が弾性変形して乗り上げ、その後、周方向の回動操作によって回り止め片が係合する係合突起と；
被取付部に形成され、カバー部材を被取付部に対して取付方向に移動操作し、その後、周方向の回動操作によって落下防止片が係合する支持部と；
を具備することを特徴とする照明装置。
【請求項２】
前記係合突起は、周方向の両側部のうち、少なくとも前記回動操作側はテーパ状に形成されていることを特徴とする請求項１に記載の照明装置。
【請求項３】
前記カバー部材は、前面方向へ径を拡大する膨出部を有することを特徴とする請求項１又は請求項２に記載の照明装置。
【請求項４】
前記カバー部材の膨出部と対応する外周面と装置本体側の内周面との間には、パッキンが介在されていることを特徴とする請求項３に記載の照明装置。
【発明の詳細な説明】
【技術分野】
【０００１】
本発明は、光源から放射される光の照射部を覆うカバー部材を備える照明装置に関する。
【背景技術】
【０００２】
近時、照明装置の光源としてＬＥＤが用いられるようになってきている。ＬＥＤは、一般的には、輝度が高く、指向性が強い。このため、照明装置の使用環境によっては、柔らかい拡散された光の照明が必要な場合があり、このような場合、照明装置の照射部を必要に応じ、例えば、拡散性を有するカバー部材で着脱可能に覆うようにすることができるのが望ましい。
【０００３】
従来、照明装置のカバー部材の取付構造として、本体部に対し、照明カバー部を回転し、本体部と照明カバー部との密着性を高めて照明カバー部を取付けるようにしたものがある（例えば、特許文献１参照）。
【先行技術文献】
【特許文献】
【０００４】
【特許文献１】特開２００２−３３０１３号公報
【発明の概要】
【発明が解決しようとする課題】
【０００５】
しかしながら、特許文献１に示されたものは、構成が複雑であり、また、照明カバー部の着脱操作性や落下の防止を図るには十分なものとはいえない。
【０００６】
本発明は、上記課題に鑑みなされたもので、簡素化した構成で、カバー部材の取付け操作性が良好であるとともに、カバー部材の落下を確実に防止できる信頼性の高い照明装置を提供することを目的とする。
【課題を解決するための手段】
【０００７】
請求項１に記載の照明装置は、光源を有する装置本体と；前記光源を覆うとともに、円形状の本体部と、この本体部の外周縁に沿い本体部と直交する方向に延出した落下防止片及び回り止め片とを備えた透光性を有するカバー部材と；装置本体に設けられ、前記カバー部材が取付けられる被取付部と；被取付部に形成され、カバー部材を被取付部に対して取付方向に移動操作したとき、前記回り止め片が弾性変形して乗り上げ、その後、周方向の回動操作によって回り止め片が係合する係合突起と；被取付部に形成され、カバー部材を被取付部に対して取付方向に移動操作し、その後、周方向の回動操作によって落下防止片が係合する支持部と；を具備することを特徴とする。
【０００８】
本発明の照明装置は、ダウンライトが好適であるが、これに限らず、屋内又は屋外用の各種照明器具に適用できる。また、光源には、ＬＥＤ等の固体発光素子や放電ランプ等が適用できる。
カバー部材は、拡散性を有するものを用いるのが好ましいが、透光性を備えていれば、格別これに限定されるものではない。
【０００９】
被取付部は、カバー部材が取付けられる部材や部分を意味する。例えば、照明装置本体を構成するケース、反射体や配光部材が相当する場合がある。部材や部分が特段限定されるものではない。
【００１０】
この構成により、カバー部材の取付時の操作を円滑に行うことができ、操作性が良好となる。さらに、カバー部材は、回り止め片と落下防止片とがそれぞれ独立して機能を果たすようになっており、回り止めがなされた状態で落下防止片が支持部に係合するので、カバー部材の落下の防止を確実に行うことができる。
【００１１】
請求項２に記載の照明装置は、請求項１に記載の照明装置において、前記係合突起は、周方向の両側部のうち、少なくとも前記回動操作側はテーパ状に形成されていることを特徴とする。この構成により、カバー部材の取外し操作が円滑となる。
【００１２】
請求項３に記載の照明装置は、請求項１又は請求項２に記載の照明装置において、前記カバー部材は、前面方向へ径を拡大する膨出部を有することを特徴とする。この構成により、照射光の拡散効果を促進することができる。
【００１３】
請求項４に記載の照明装置は、請求項３に記載の照明装置において、前記カバー部材の膨出部と対応する外周面と装置本体側の内周面との間には、パッキンが介在されていることを特徴とする。この構成により、防水効果を確保することができ、例えば、屋外用の照明装置として好適となる。したがって、例えば、屋内用と屋外用の照明装置において、装置本体等の部品の共通化が可能となる。
【発明の効果】
【００１４】
請求項１に記載の発明によれば、カバー部材の取付時の操作を円滑に行うことができ、操作性が良好となるとともに、カバー部材の落下の防止を確実に行うことができ信頼性の高い照明装置を提供できる。
請求項２に記載の発明によれば、請求項１に記載の発明の効果に加え、カバー部材の取外し操作を円滑に行うことができる。
請求項３に記載の発明によれば、請求項１又は請求項２に記載の発明の効果に加え、照射光の拡散効果を促進することができる。
請求項４に記載の発明によれば、請求項３に記載の発明の効果に加え、防水効果を確保することができる。
【図面の簡単な説明】
【００１５】
【図１】本発明の第１の実施形態に係る照明装置を示す斜視図である。
【図２】同分解斜視図である。
【図３】同反射体を示す斜視図である。
【図４】同反射体を前面側から見て示す平面図である。
【図５】同反射体における係合突起を拡大して示す斜視図である。
【図６】同反射体における係合突起を背面側から見て拡大して示す斜視図である。
【図７】同カバー部材を示す斜視図である。
【図８】同カバー部材を中心線を境に右側半分を断面で示す側面図である。
【図９】同カバー部材における落下防止片及び回り止め片を拡大して示す斜視図である。
【図１０】同反射体とカバー部材との取付状態を示す斜視図である。
【図１１】同反射体の係合突起と、カバー部材の落下防止片及び回り止め片との係合過程（初期）を示す拡大斜視図である。
【図１２】同じく、反射体の係合突起と、カバー部材の落下防止片及び回り止め片との係合過程（途中）を示す拡大斜視図である。
【図１３】同じく、反射体の係合突起と、カバー部材の落下防止片及び回り止め片との係合過程（途中）を示す拡大斜視図である。
【図１４】同じく、反射体の係合突起と、カバー部材の落下防止片及び回り止め片との係合過程（完了）を示す拡大斜視図である。
【図１５】本発明の第２の実施形態に係る照明装置の一部を断面で示す側面図である。
【発明を実施するための形態】
【００１６】
本発明の第１の実施形態の照明装置として天井に埋め込むタイプのダウンライト１を一例に、図１乃至図１４を参照して説明する。ダウンライト１は、装置本体２と、この装置本体２に連結される図示しない電源ユニットとを有する。
【００１７】
図１及び図２に示すように、装置本体２は、熱伝導性を有して概略筒状に形成されている。この本体２は、本体２の内側に取付けられた配光部材３と、同じく本体２の内側に取付けられ、光源である発光素子としてのＬＥＤ１０が複数個実装された基板４と、反射体５と、反射体５の前面側に配設された透光性の保護カバー６と、着脱可能な透光性のカバー部材７とを備えている。また、本体２の外周側の３個所には、取付け用板ばね８が装着されている。
【００１８】
本体２は、内周面が前面側に向かって広がる傾斜状に形成されている。本体２は、熱伝導性の良好な材料、例えば、アルミニウム合金製のダイカストで形成されている。本体２の外面は、白色のメラミン樹脂系塗料によって焼付塗装されている。なお、熱伝導性を確保できれば、本体２は、他の材料で形成してもよい。また、本体２の外面には、鉛直方向に延びる複数の放熱フィンが形成されている。さらに、本体２は、その内周側に基板４の裏面側が密着して配設される円形状であって、平坦面に形成された熱伝導面を有している。
【００１９】
配光部材３は、本体２の内周面に沿うように形成されている。つまり、本体２の内周面と同様に、前面側に向かって広がる傾斜状に形成されている。配光部材３は、熱伝導性を有する例えば、鉄板等の金属材料で形成されている。配光部材３の内周面は、白色のメラミン樹脂系塗料によって焼付塗装されている。配光部材３には、前面側に向かうに従い広がった略円形の開口端部に、化粧枠として外周方向に延びる環状のフランジ３ａが一体に形成されている。
【００２０】
このように構成された配光部材３は、基板４の周囲を囲むように配設されている。配光部材３は、前面側に向かって広がる傾斜状の形態によって、複数のＬＥＤ１０から出射される光を配光制御する機能を有する。例えば、グレアを抑制する機能を有する。
【００２１】
基板４は、略円形の板状をなし、表面側には、光源となるＬＥＤ１０が表面実装方式で複数個実装されている。具体的には、中央部に４個、その周囲に８個、さらに最外周に１４個の合計２６個が実装されている。基板４は、本体２の熱伝導面と熱的に結合されるようになっている。
【００２２】
基板４には、各ＬＥＤ１０の放熱性を高めるうえで、アルミニウム等の熱伝導性が良好で放熱性に優れた金属材料をベース板として適用するのが好ましい。このような基板４として、アルミニウム製のべース板の一面に絶縁層が積層された金属製のべース基板が用いられている。なお、ベース板の材料は、絶縁材とする場合には、セラミックス材料又はエポキシ樹脂等の合成樹脂材料を適用できる。
【００２３】
基板４の表面側には、白色のポリカーボネートやＡＳＡ樹脂等によって形成された反射体５が配設されている。反射体５は、ＬＥＤ１０から放射される光をＬＥＤ１０ごとに個別に配光制御し、効率的に照射する機能をなしている。
【００２４】
また、反射体５の前面側には、保護カバー６が係止爪によって結合されている。この保護カバー６は、基板４に実装されたＬＥＤ１０等を保護する機能を有しているが、白色や半透明の材料で拡散性を有するように構成してもよい。
さらに、これらを覆うように拡散材が混入されアクリル樹脂等によって形成された着脱可能な透光性のカバー部材７が反射体５に取付けられている。
【００２５】
次に、前記反射体５及びカバー部材７の詳細を図３乃至図９を参照して説明する。図３乃至図６は、反射体５を示しており、図７乃至図９は、カバー部材７を示している。
（反射体の構成）
【００２６】
図３及び図４に示すように、反射体５は、円板状をなし、各隔壁５１の稜線部によって複数の開口５２が形成されている。具体的には、ＬＥＤ１０と対向して２６個の開口５２が形成されている。中央部には４個の開口５２、その周囲には８個の開口５２、さらにその周囲の最外周には１４個の開口５２が形成されている。また、各開口５２の内側は、各隔壁５１によって、略椀状の反射面５３が形成されている。この反射面５３は、光の照射方向、すなわち、稜線部に向かって拡開しており、開口５２ごとにひとつの反射面５３を構成している。
【００２７】
反射体５の外周側壁には、反射体５と同心円上の円弧状であって、内周方向に向かう凹部５５が形成されている。この凹部５５は、相互に約１２０度の間隔を空けて３個所に形成されている（主として図４参照）。
【００２８】
そして、図５及び図６に代表して示すように、この各凹部５５の背面寄りであって略中央部には、後述するカバー部材７の回り止め片７３が係合する正面視、略Ｕ字状の係合突起５６が形成されている。この係合突起５６の周方向の両側部５６ａは、テーパ状に形成されており、また、周方向と直交する前面方向の部分５６ｂもテーパ状に形成されている。さらに、係合突起５６の背面側の部分５６ｃは、反射体５の外周側の背面壁５７と面一になっている。加えて、凹部５５の一端側における反射体５の背面壁５７は、後述するカバー部材７の落下防止片７４が係合する支持部５７ａとなっている。
【００２９】
また、係合突起５６は、テーパ状に形成され、背面側の部分５６ｃは、反射体５の外周側の背面壁５７と面一になっているので、反射体５の成形加工におけるパーティングラインを当該背面側の部分５６ｃに設定することができ、例えば、係合突起５６のテーパ状の部分（５６ａ、５６ｂ）にパーティングラインが現れることがなく、係合突起５６の所期のテーパ状の形態を確保することができる。
（カバー部材の構成）
【００３０】
カバー部材７は、前記反射体５に着脱可能に取付けられる。したがって、本実施形態では、反射体５は、カバー部材７の被取付部となっている。図７及び図８に示すように、カバー部材７は、円形皿状に形成され、円形状の本体部７１と、環状の鍔部７２と、この鍔部７２から延出する回り止め片７３及び落下防止片７４とを有している。
【００３１】
本体部７１は、主としてＬＥＤ１０から放射される光を透過し拡散して外部に照射する部分であり、その前面側の外周縁近傍には、複数の滑り止め用突起７１ａが形成されている。この滑り止め用突起７１ａは、カバー部材７を反射体５に着脱するときに、指をかけて回動操作を容易にするために使用される。
【００３２】
環状の鍔部７２は、本体部７１の外周縁に沿って背面方向、すなわち、本体部７１と直交する方向に延出しており、図８に示すように前面方向へ径を拡大するような膨出部７５を有している。なお、前記滑り止め用突起７１ａは、この膨出部７５と対向するように配設されている（図７参照）。
【００３３】
さらに、回り止め片７３及び落下防止片７４は、これらが組みとなって鍔部７２から延出し、前記反射体５の凹部５５と対向するように、相互に約１２０度の間隔を空けて３個所に形成されている。
【００３４】
図９を加えて示すように、回り止め片７３は、略四角形状をなして立設されており、また、回り止め片７３には、四角形状の嵌合孔７３ａが形成されている。一方、落下防止片７４は、スリットＳを介して回り止め片７３とは別個に独立して形成されており、周方向（回動方向）に鍵状部７４ａを有してＬ字状に形成されている。なお、図８に示すように、回り止め片７３の嵌合孔７３ａを形成する背面側（図示上、上側）の辺と落下防止片７４の鍵状部７４ａとは、略同一高さ位置Ｈになるように形成されている。
次に、カバー部材７を反射体５に取付ける操作について図１０乃至図１４を参照して説明する。なお、図１０においては、保護カバー６は省略して示している。
【００３５】
図１０に示すように、カバー部材７は、被取付部としての反射体５に取付けられる。カバー部材７の回り止め片７３及び落下防止片７４を反射体５の凹部５５に合わせるようにして取付操作を行う。
【００３６】
まず、図１１に示すように、回り止め片７３及び落下防止片７４を凹部５５に合わせ、背面側、つまり、取付方向（図示矢印Ｙ）へ移動する。この場合、回り止め片７３及び落下防止片７４は、凹部５５の両側壁に案内されて移動されるようになる。このときスリットＳは、係合突起５６と対向するようになり、回り止め片７３及び落下防止片７４は、係合突起５６のテーパ状の部分５６ｂに案内されて円滑に移動される。この取付方向の移動は、環状の鍔部７２の端面が反射体５の表面側に当接することにより規制されている。
【００３７】
図１２に示すように、取付方向の移動を終了し、次に周方向（図示矢印Ｘ）へ回動する。ここで、取付方向の移動が終了した時点では、少なくとも回り止め片７３は、弾性変形して係合突起５６に乗り上がるようになっている。したがって、図１３に示すように、回り止め片７３は、係合突起５６に乗り上がり、凹部５５の側壁との間にギャップＧが形成された状態となっている。
【００３８】
つまり、図１１に示すように、凹部５５の両側壁間の寸法Ｌ1と、回り止め片７３及び落下防止片７４の両片の端部間の寸法Ｌ2との関係、また、回り止め片７３及び落下防止片７４の形成位置の関係から前記のように少なくとも回り止め片７３は、係合突起５６に乗り上がるように構成されている。
したがって、回動操作に際し、回り止め片７３に過度な応力がかかることなく、軽い回転力で回動操作を行うことができる。
【００３９】
図１４に示すように、回動操作が終了すると、落下防止片７４の鍵状部７４ａが反射体の支持部５７ａに係合するとともに、回り止め片７３の嵌合孔７３ａに係合突起５６が嵌合する。
【００４０】
これにより、カバー部材７は、反射体５に支持され取付けられる。したがって、カバー部材７は、回り止めがなされた状態で落下防止片７４が支持部５７ａに係合しており、落下の防止を確実に行うことが可能となる。また、回り止め片７３の嵌合孔７３ａを形成する背面側の辺（図示上、上側）は、落下防止片７４の鍵状部７４ａと略同一高さ位置Ｈになっていて、嵌合孔７３ａは係合突起５６の背面側の部分５６ｃに支持されるので、係合突起５６の嵌合孔７３ａへの嵌合によっても補完的に落下の防止作用がなされる。
【００４１】
なお、カバー部材７を反射体５から取外す場合には、上記と逆の操作を行えばよい。この場合、回動操作に際し、係合突起５６の周方向の両側部５６ａは、テーパ状に形成されているので、嵌合孔７３ａは回動操作側のテーパ状部分５６ａ（図示上、右側）に沿って円滑に係合突起５６から外れることが可能となる。
【００４２】
以上のような構成によれば、カバー部材７は、着脱可能であり、必要に応じ取付けて使用することができる。また、取付時の操作を円滑に行うことができ、操作性が良好となる。さらに、カバー部材７は、回り止め片７３と落下防止片７４とがそれぞれ独立して機能を果たすようになっており、回り止めがなされた状態で落下防止片７４が支持部５７ａに係合しているので、長期間の使用や振動等によってもカバー部材１７の落下の防止を確実に行うことができる。
【００４３】
電源ユニットに通電されると、基板４に電力が供給されることによって、ＬＥＤ１０が発光する。各ＬＥＤ１０から出射された光の多くは、カバー部材７の本体部７１を透過し拡散して前方に照射される。このとき、滑り止め用突起７１ａは、膨出部７５と対向するように配設されているので、この滑り止め用突起７１ａが光の照射の障害物となることが軽減される。さらに、この膨出部７５は前面方向へ径を拡大するようになっているので、これによって光の拡散が助長されるようになる。
【００４４】
一部の光は、各ＬＥＤ１０に対応する反射体５の各反射面５３でいったん反射されることによって配光制御され、カバー部材７を透過して前方に照射される。そして、この前方に照射された光は、配光部材３によって全体的に配光制御されて照射される。
【００４５】
次に、本発明の第２の実施形態について図１５を参照して説明する。なお、第１の実施形態と同一又は相当部分には、同一符号を付し重複した説明は省略する。本実施形態においては、上記第１の実施形態におけるダウンライト１を主として屋外用、例えば、軒下用として用いる場合の例を示している。
【００４６】
屋外用としては、防水性を確保する必要があり、カバー部材７の膨出部７５に対応する外周面と装置本体２側の配光部材３の内周面との間に、環状のパッキンＰがして介在されている。このようにパッキンＰを配設することにより、膨出部７５の構成によって密着度が高まるようになる。
【００４７】
電源ユニット２０は、装置本体２に連結されており、電源回路２１、電源端子台２２及びアーム状の取付部材２３を備えている。電源回路２１は、ＬＥＤ１０が実装された基板４に電気的に接続されており、これによってＬＥＤ１０は点灯制御される。
【００４８】
ダウンライト１は、破線で示す天井面Ｃの埋込み穴に電源ユニット２０側から挿入される。そして、天井面Ｃの裏側に埋込まれた状態で、取付け用板ばね８の弾性力を伴って支持される。
【００４９】
以上のように本実施形態によれば、カバー部材７にパッキンＰを追加することにより例えば、屋内用と屋外用とにダウンライト１を適用でき、部品の共通化が実現でき、コストの低減化を図ることができる。
【００５０】
本発明は、上記実施形態の構成に限定されることなく、発明の要旨を逸脱しない範囲で種々の変形が可能である。例えば、カバー部材は、透光性を有していれば、必ずしも拡散性を有する必要はない。さらに、上記実施形態では、カバー部材は、円形状の本体部と鍔部とを有し、鍔部から延出するように回り止め片及び落下防止片を形成するものについて説明したが、鍔部は必ずしも設ける必要はない。本体部から直接回り止め片及び落下防止片を延出するように形成することもできる。
また、照明装置としては、屋内又は屋外用の各種照明器具に適用できる。
【符号の説明】
【００５１】
１・・・照明装置（ダウンライト）、２・・・装置本体、
５・・・被取付部（反射体）、７・・・カバー部材、１０・・・光源（ＬＥＤ）、
５６・・・係合突起、５７ａ・・・支持部、７１・・・本体部、
７３・・・回り止め片、７４・・・落下防止片、７５・・・膨出部、
Ｐ・・・パッキン
【図１】
2011171190.tif 000003
【図２】
2011171190.tif 000004
【図３】
2011171190.tif 000005
【図４】
2011171190.tif 000006
【図５】
2011171190.tif 000007
【図６】
2011171190.tif 000008
【図７】
2011171190.tif 000009
【図８】
2011171190.tif 000010
【図９】
2011171190.tif 000011
【図１０】
2011171190.tif 000012
【図１１】
2011171190.tif 000013
【図１２】
2011171190.tif 000014
【図１３】
2011171190.tif 000015
【図１４】
2011171190.tif 000016
【図１５】
2011171190.tif 000017